(57)【要約】【課題】架構内部を居住空間として十分に広く利用することができ且つバルコニーや廊下において水勾配や溝を形成することが容易である、スラブ床の構造を提案する。【解決手段】長辺方向一側端部にバルコニー部２１を設け、他側端部に共用廊下２３を設けた住戸１１に一体的に設けるスラブ床４０において、居住部２２のスラブ床４０の鉄筋トラス３６の方向及びボイドブロック３５の長尺方向を住戸１１の間口方向とし、バルコニー部２１及び共用廊下部２３のスラブ床４０の鉄筋トラス３６の方向の長尺方向を間口方向と略直交する方向とする。そして、バルコニー部２１と居住部２２と共用廊下部２３との各々間のスラブ床４０内に小梁１６を設け、スラブ床４０の長辺方向周縁部に大梁１２を設けた。また、居住部２２のスラブ床４０はボイドブロック３５を設けてボイドスラブ床とした。【選択図】図１
2006057268.tif 000002
【特許請求の範囲】
【請求項１】
居住部の一側にバルコニーが設けられ、該居住部を介してバルコニーの他側に共用廊下が設けられた住戸に設ける、鉄筋トラス付きデッキプレートを用いて構築するスラブ床であって、
居住部のスラブ床の鉄筋トラス方向を住戸の間口と平行な方向とし、
バルコニー及び共用廊下のスラブ床の鉄筋トラス方向を間口方向と略直交する方向とすることを、
特徴とするスラブ床の構造。
【請求項２】
前記居住部とバルコニーとの間、及び、居住部と共用廊下の間のスラブ床内に、間口と平行な方向を長尺方向とする小梁を設けるとともに、
バルコニー及び共用廊下のスラブ床の周縁部を支持する梁を設ける、
請求項１に記載のスラブ床の構造。
【請求項３】
前記居住部のスラブ床内にボイドを設ける、
請求項１又は請求項２に記載のスラブ床の構造。
【請求項４】
前記バルコニー若しくは共用廊下、又は、バルコニー及び共用廊下のスラブ床の厚みを、居住部のスラブ床の厚みより小さいものとするとともに、
周縁側に向かって下る勾配と排水溝との、いずれか一方又は両方を形成する、
請求項１乃至請求項３のいずれかに記載のスラブ床の構造。
【請求項５】
ウエブと該ウエブの両端に固設されたフランジとから成るＨ型鋼柱に、
ウエブに対して略直交方向に延在する板状補強部材であるスチフナーを固設し、
該スチフナーに、平面視においてフランジよりも周縁側に突出した部分を一体的に形成し、
前記スチフナーにてスラブ床の一部を支持することを、
特徴とするスラブ床の構造。
【発明の詳細な説明】
【技術分野】
【０００１】
本発明は、建物に設けられた鉄筋トラス付きデッキプレートを用いて構築するスラブ床の構造に関し、詳しくは、居住部の一側にバルコニーが設けられ、該居住部を介してバルコニーの他側に共用廊下が設けられた住戸のスラブ床の構造に関する。
【背景技術】
【０００２】
従来、スラブ床として、スラブ内部に配筋された鉄筋（鉄筋トラス）間にボイドブロックを並設してボイドを形成し、該ボイドブロックによって床の軽量化を図るとともに床の強度の増大を図ったボイドスラブ床が知られている。
【０００３】
ボイドスラブ床では、鉄筋トラスやボイドブロックが一方向に並べて配置される、いわゆる、一方向版が一般的であるが、例えば、特許文献１で公開されているように、鉄筋トラスやボイドブロックを二方向に並べることによって二方向版とし、一方向版のように一方向に荷重が流れるのではなく、荷重が二方向に分散されるようにして、スラブ厚を小さくしたりスラブ床の強度の向上が図られたりしている。
なお、特許文献１では、四辺で支持されるスラブ床において、スラブ床の長辺の中央部では短辺方向に中空管を平行して埋設し、中空管間に大梁が平行して配置された構成とし、スラブ床の長辺の端部では、短辺に直交する方向に中空管を平行に埋設し、中空管間に形成される小梁が大梁に直交して配置された構成としたボイドスラブ床の構造が公開されている。
【特許文献１】実開昭５６−１２６１３号公報
【発明の開示】
【発明が解決しようとする課題】
【０００４】
例えば、同じ階層に複数の平面略矩形状の住戸が並列され、居住部分を挟んで一側にバルコニー、他側に共同廊下が設けられた集合住宅の場合の、スラブ床について考える。
図７に示す如く、鉄筋トラスを住戸の間口方向に配筋してスラブ床を形成すれば、中間小梁を省略することができ、居住空間を広く利用することができ、また、空間の設計の自由度が高まるが、住戸の長尺方向の周縁部分、すなわち、バルコニーや廊下部分で応力が発生し、スラブが一方向版でなくなるため、鉄筋を補強する必要が生じ、配筋が複雑となってしまう。また、バルコニーや廊下部分の水勾配や溝を形成することが、鉄筋トラスの配筋方向と勾配の方向とが異なるために、困難である。
また、図８に示す如く、鉄筋トラスを住戸の間口方向と略直交する方向に配筋し適宜位置に小梁を設けてスラブ床を形成すれば、架構にてスラブ床にかかる荷重が支持されるためスラブ厚を小さくすることができる一方、小梁が天井内やスラブ内に収まらずに、居住空間内に突出することになり、居住空間が小さくなってしまう。
【０００５】
そこで、本発明では、上記従来技術及び課題に鑑み、架構内部を居住空間として十分に広く利用することができ且つバルコニーや廊下において水勾配や溝を形成することが容易である、スラブ床の構造を提案する。
【課題を解決するための手段】
【０００６】
本発明の解決しようとする課題は以上の如くであり、次にこの課題を解決するための手段を説明する。
【０００７】
即ち、請求項１においては、
居住部の一側にバルコニーが設けられ、該居住部を介してバルコニーの他側に共用廊下が設けられた住戸に設けるスラブ床であって、居住部のスラブ床の鉄筋トラス方向を住戸の間口と平行な方向とし、バルコニー及び共用廊下のスラブ床の鉄筋トラス方向を間口方向と略直交する方向とする、スラブ床の構造である。
【０００８】
請求項２においては、
前記居住部とバルコニーとの間、及び、居住部と共用廊下の間のスラブ床内に、間口と平行な方向を長尺方向とする小梁を設けるとともに、バルコニー及び共用廊下のスラブ床の周縁部を支持する梁を設けるものである。
【０００９】
請求項３においては、
前記居住部のスラブ床内にボイドを設けるものである。
【００１０】
請求項４においては、
前記バルコニー若しくは共用廊下、又は、バルコニー及び共用廊下のスラブ床の厚みを、居住部のスラブ床の厚みより小さいものとするとともに、周縁側に向かって下る勾配と排水溝との、いずれか一方又は両方を形成するものである。
【００１１】
請求項５においては、
ウエブと該ウエブの両端に固設されたフランジとから成るＨ型鋼柱に、ウエブに対して略直交方向に延在する板状補強部材であるスチフナーを固設し、該スチフナーに、平面視においてフランジよりも周縁側に突出した部分を一体的に形成し、前記スチフナーにてスラブ床の一部を支持する、スラブ床の構造である。
【発明の効果】
【００１２】
本発明の効果として、以下に示すような効果を奏する。
【００１３】
請求項１においては、
居住部では、住戸の間口と平行な方向を鉄筋トラス方向とすることにより、居住空間内部の中間小梁をなくすことができるため、居住空間内部に出っ張る柱や梁が無くなり、また、空間設計の自由度を高めることができる。また、バルコニー及び共用廊下では、居住部と比較して鉄筋トラスの長さを小さくすることで、水勾配や溝を形成することによりスラブ厚が小さくなっても、スラブ床に十分な剛性を備えることができる。
【００１４】
請求項２においては、
バルコニー、居住部、共用廊下のそれぞれにおいて、スラブ床は一方向版として挙動し、住戸に一体的に設けたスラブ床であっても周縁部における応力の集中を避けることができる。また、バルコニー及び共用廊下のスラブ床にかかる荷重を小梁及び大梁で支持することができるため、これらの部分のスラブ厚を小さくすることができ、特別に配筋等を増加することなく、水勾配や溝を形成することができる。
【００１５】
請求項３においては、
居住部では、ボイドを設けることによってスラブ床を軽量に構成することができる。また、バルコニー及び共用廊下ではボイドを設けないので居住部と比較してスラブ床の厚みを小さくすることができ、居住部とバルコニー及び共用廊下とのスラブ床の厚みの差を利用して、水勾配や溝を形成することができる。
【００１６】
請求項４においては、
居住部では荷重を支持できる程度に十分な厚みのスラブ床としたうえで、バルコニー及び共用廊下に居住部と比較してスラブ床の厚みを薄くする形状を利用した水勾配や溝を形成することができる。
【００１７】
請求項５においては、
スチフナーで床を受けることができるので、間柱周りに従来設けられる床を受けるための部材を設ける必要がない。従って、施工が容易となり、また、部材点数を削減することができ、コストダウンに寄与することができる。
【発明を実施するための最良の形態】
【００１８】
次に、発明の実施の形態を説明する。
図１は本発明の実施例に係る集合住宅の全体的な構成を示した断面図、図２は集合住宅の住戸の床及び架構の構成を示した平面図、図３はバルコニー部及び住戸部のスラブ床の構造を示す断面図、図４は上下階のスラブ床の関係を示す断面図である。
図５は間柱と小梁の接合部の様子を示す図、図６は図５におけるＡ−Ａ矢視断面図である。
図７は従来の集合住宅の住戸においてスラブ床の鉄筋トラス方向を間口方向とした例を示す図、図８は従来の集合住宅の住戸においてスラブ床の鉄筋トラス方向を間口方向と略直交する方向とした例を示す図である。
【００１９】
図１及び図２に示す如く、居住部２２の水平方向一側にバルコニー部２１が有り、居住部２２を介してバルコニー部２１の反対側に共用の廊下部２３が配置され、長辺方向端部にバルコニー部２１と廊下部２３とが配置された住戸１１が、複数連続して並設された集合住宅１０におけるスラブ床の構成方法に関する。
【００２０】
上記集合住宅１０では、バルコニー部２１側端面と、廊下部２３側端面とが、それぞれ大梁１２と大柱１３からなる架構（外架構）で構成されている。外架構では、少なくとも各住戸１１の間口方向境界において大柱１３が配置されており、この大柱１３間に大梁１２が架設されている。
【００２１】
そして、各住戸１１の境目には、小梁１４と間柱１５とからなる架構が構成されている。
さらに、各住戸１１において、バルコニー部２１と居住部２２との境界、居住部２２と廊下部２３との境界に、それぞれ小梁１６が配置されている。
【００２２】
図５に示す如く、前記間柱１５は、ウエブ１５ｂとその両端に設けられたフランジ１５ａ・１５ａから成るＨ型鋼で構成されており、小梁１４も同様に、ウエブ１４ｂとその両端に設けられたフランジ１４ａ・１４ａから成るＨ型鋼で構成されている。
【００２３】
間柱１５と小梁１４とで構成される空間にブレース５２・５２が設けられる場合には、間柱１５のフランジ１５ａにガゼットプレート５１を接合し、該ガゼットプレート５１にブレース５２の一側端部を接続する。また、この場合、間柱１５のフランジ１５ａに接続用梁１５ｅを接合し、該接続用梁１５ｅと小梁１４とを、接合プレート５３にてボルト接続する。
また、間柱１５と小梁１４とで構成される空間にブレース５２を設けない場合は、間柱１５のフランジ１５ａに接続用プレート１５ｄを接合し、該接続用プレート１５ｄと小梁１４のウエブ１４ｂとをボルト接合する。
【００２４】
各住戸１１の床はスラブ床であり、バルコニー部２１、居住部２２及び廊下部２３に亘って連続する略矩形状であって、住戸１１の長辺方向の端部（端辺）にバルコニー部２１と廊下部２３とが配置された、スラブ床４０が構成されている。
なお、スラブ床４０は、居住部２２においては、内部にボイドブロック３５を設けてボイドを形成したボイドスラブ床としている。
【００２５】
このスラブ床４０において、居住部２２の鉄筋トラスの配筋方向（長尺方向）が住戸１１の間口と平行な方向であり、バルコニー部２１と廊下部２３の鉄筋トラスの配筋方向は、ともに住戸１１の間口方向と略直交する方向とされている。
なお、住戸１１の間口方向は、平面略矩形状の住戸１１の短辺方向である。
【００２６】
図３に示す如く、居住部２２においては、上鉄筋３１、下鉄筋３２及びボイドブロック３５は、その長尺方向が住戸１１の間口方向と略平行な方向（Ｗ方向）となるように配置される。
上下に平行に設けられた上鉄筋３１と下鉄筋３２とが、その長尺方向がＷ方向となるように配置され、上鉄筋３１と下鉄筋３２とがラチス筋３３にて連結されて、鉄筋トラス３６が形成される。そして、並列配置される鉄筋トラス３６・３６同士を連結固定するとともにボイドブロック３５を固定する吊り材３４が、鉄筋トラス３６と略直交する方向であるＬ方向に配筋される。
そして、隣接する鉄筋トラス３６・３６の間にボイドブロック３５が、その長尺方向がＷ方向となるように配置され、吊り材３４により固定される。これらの鉄筋及びボイドブロックの上に、網状に組まれた上端筋３７が配筋される。
【００２７】
また、バルコニー部２１及び廊下部２３では、上鉄筋３１、下鉄筋３２及びボイドブロック３５は、その長尺方向が間口方向と略直交する方向（Ｌ方向）となるように配置される。なお、バルコニー部２１と廊下部２３とでは、スラブ床４０の構造は略対称に表れる。
上下に平行に設けられた上鉄筋３１と下鉄筋３２とが、その長尺方向がＬ方向となるように配置され、上鉄筋３１と下鉄筋３２とがラチス筋３３にて連結されて、鉄筋トラス３６が形成される。そして、並列配置される鉄筋トラス３６・３６同士を連結固定する吊り材３４が、鉄筋トラス３６と略直交する方向であるＷ方向に配筋される。
そして、これらの鉄筋の上に、網状に組まれた上端筋３７が配筋される。
【００２８】
なお、図５及び図６に示す如く、居住部２２において、スラブ床４０に具備される鉄筋は、小梁１４の下側のフランジ１４ａにて支持される。すなわち、スラブ床４０は小梁１４のフランジ１４ａにて支持されることになる。
間柱１５と小梁１４の接続部においては、従来は、別途床を受けるための部材を間柱１５の周りに接合し、これにてスラブ床４０を受ける構成としていた。これに対し、本実施例では、間柱１５の補強部材であるスチフナー５５を利用して、スラブ床４０を受ける構造としている。
【００２９】
間柱１５のフランジ１５ａとフランジ１５ａとの間には、特に、フランジ１５ａ・１５ａに集中して荷重が掛かる小梁１４やブレース５２が接続される部分において、スチフナー５５・５６が固設され間柱１５の剛性が高められている。スチフナー５５・５６は、ウエブ１５ｂと略直交する方向に固定される板状部材であって、該スチフナー５５・５６の周囲は、フランジ１５ａ・１５ａとウエブ１５ｂとに固設されている。
そして、小梁１４を接合する部分に固設されたスチフナー５５は、小梁１４の下側のフランジ１４ａと略等しい高さ位置に設けられ、また、該スチフナー５５は、平面視においてフランジ１５ａ・１５ａよりも周縁側に突出している。そして、このスチフナー５５の周縁側に突出した部分にて、スラブ床４０を受けることができるように構成されている。
このように、スチフナー５５でスラブ床４０を受けることができるので、間柱１５の周りに別途床を受けるための部材を設ける必要がなく、施工が容易となり、また、部材点数を削減することができ、コストダウンに寄与することができる。
【００３０】
そして、前述の如く、スラブ床４０の鉄筋トラス３６の配筋方向が異なる境界において、すなわち、バルコニー部２１と居住部２２との間及び居住部２２と廊下部２３との間において、小梁１６・１６が隣接する住戸１１・１１の間に設けられた間柱１５に架設される。
【００３１】
なお、小梁１６・１６はスラブ床４０に埋設した状態に配置される。これにより、図４に示す如く、居住空間の天井高４５を大きく取ることが可能となる。従って、バルコニー部２１と居住部２２との間の開口高４４を高く取ることができ、採光や眺望に優位な設計をすることが可能となる。
【００３２】
また、小梁１６・１６の下フランジはバルコニー部２１及び廊下部２３の鉄筋トラス３６・３６の居住部２２側端部を支持しており、小梁１６・１６にて、バルコニー部２１及び廊下部２３のスラブ床４０を支持している。
なお、居住部２２は、鉄筋トラス３６の配筋方向を間口方向と平行な方向としており、居住部２２のスラブ床４０の荷重は、住戸１１と住戸１１の間に設けられた小梁１４と間柱１５とによって負担されるため、バルコニー部２１又は廊下部２３と居住部２２との間に設けられた小梁１６は居住部２２のスラブ床４０の荷重を負担しない。これに加え、バルコニー部２１又は廊下部２３のスラブ床４０の周縁部は大梁１２及び大柱１３より成る外架構により支持されるため、小梁１６はバルコニー部２１又は廊下部２３のスラブ床４０の荷重の一部を負担すればよい。
従って、小梁１６の断面積を、スラブ床４０内に埋入することが可能な程度に小さいものとすることができ、小梁１６をスラブ床４０内に埋入して居住空間内に突出させないようにすることができる。
【００３３】
なお、バルコニー部２１、居住部２２及び廊下部２３において、スラブ床４０はそれぞれ一方向版として挙動するので、鉄筋トラス３６の下方に一般的に設けられる下端筋が省略されている。但し、下端筋を設けることも可能である。下端筋を省略する場合、下端筋にかかる費用や時間（材料代や施工費、施工時間等）を削減することができる。
【００３４】
上述の如く鉄筋及びボイドブロックが配筋された床にコンクリートが打設されスラブ床４０とされる。
バルコニー部２１及び廊下部２３においては、スラブ上面に周縁部に向かって下る勾配４１が形成される。これは水勾配である。さらに、周縁部には排水用の溝４２が形成される。
【００３５】
居住部２２では、ボイドブロック３５を設けてボイドを形成することによってスラブ床を軽量でありながらも、十分な厚みと強度を有するものとすることができる。そして、バルコニー部２１及び廊下部２３ではボイドを設けないので居住部２２と比較してスラブ床の厚みを小さくすることができる。この居住部２２とバルコニー部２１及び廊下部２３とのスラブ床の厚みに差を設けることが可能であることによって、水勾配や溝を形成することができるのである。
なお、バルコニー部２１及び廊下部２３では、住戸１１間口方向と略直交する方向を、鉄筋トラス３６の配置方向とし、さらに、鉄筋トラス３６は短尺であるとともに小梁１６及び大梁１２にて支持されるため、水勾配４１を形成したり、溝４２を形成したりしてスラブ厚が小さくなっても、スラブ床４０に十分な剛性を備えることができるのである。
【００３６】
上述の如くスラブ床４０を構成することによって、居住部２２では、住戸１１の間口方向を鉄筋トラス方向とすることにより、居住空間内部の中間小梁をなくすことができるため、居住空間内部に出っ張る柱や梁が無くなり、また、空間設計の自由度を高めることができる。
【図面の簡単な説明】
【００３７】
【図１】本発明の実施例に係る集合住宅の全体的な構成を示した断面図。
【図２】集合住宅の住戸の床及び架構の構成を示した平面図。
【図３】バルコニー部及び住戸部のスラブ床の構造を示す断面図。
【図４】上下階のスラブ床の関係を示す断面図。
【図５】間柱と小梁の接合部の様子を示す図。
【図６】図５におけるＡ−Ａ矢視断面図。
【図７】従来の集合住宅の住戸においてスラブ床の鉄筋トラス方向を間口方向とした例を示す図。
【図８】従来の集合住宅の住戸においてスラブ床の鉄筋トラス方向を間口方向と略直交する方向とした例を示す図。
【符号の説明】
【００３８】
１０  集合住宅
１１  住戸
１２  大梁
１３  大柱
１４  小梁
１５  間柱
１６  小梁
３５  ボイドブロック
３６  鉄筋トラス
４０  スラブ床
４１  勾配
４２  溝
５５  スチフナー
【図１】
2006057268.tif 000003
【図２】
2006057268.tif 000004
【図３】
2006057268.tif 000005
【図４】
2006057268.tif 000006
【図５】
2006057268.tif 000007
【図６】
2006057268.tif 000008
【図７】
2006057268.tif 000009
【図８】
2006057268.tif 000010